(57)【要約】【課題】視聴者が人気の番組を事前に知ることができる端末装置などを提供する。【解決手段】放送コンテンツに関する情報を取得する取得部と、自装置の位置が所定の位置であるか否かを判定する位置判定部と、前記位置判定部により自装置の位置が前記所定の位置であると判定した場合に、報知の時点以降に放送の一部または全部が行われる放送コンテンツに関する情報の報知を行う報知部と、を備える端末装置である。【選択図】図１
2016208399.tif 000002
【特許請求の範囲】
【請求項１】
放送コンテンツに関する情報を取得する取得部と、
自装置の位置が所定の位置であるか否かを判定する位置判定部と、
前記位置判定部により自装置の位置が前記所定の位置であると判定した場合に、報知の時点以降に放送の一部または全部が行われる放送コンテンツに関する情報の報知を行う報知部と、
を備える端末装置。
【請求項２】
報知タイミングの条件が成立するか否かを判定する報知タイミング判定部を備え、
前記報知部は、前記報知タイミング判定部により前記条件が成立すると判定した場合に、前記報知を行う、
請求項１に記載の端末装置。
【請求項３】
前記報知部は、前記取得部により取得された情報に基づいて、前記放送コンテンツに関する情報があるか否かを判定し、
前記報知部は、前記放送コンテンツに関する情報があると判定され、かつ、前記報知タイミング判定部により前記条件が成立すると判定した場合に、前記報知を行う、
請求項２に記載の端末装置。
【請求項４】
前記報知タイミング判定部が前記判定を行い、前記条件が成立すると判定した場合に、前記報知部が前記判定を行い、前記放送コンテンツに関する情報があると判定された場合に、前記報知を行う、
請求項３に記載の端末装置。
【請求項５】
前記報知部が前記判定を行い、前記放送コンテンツに関する情報があると判定された場合に、前記報知タイミング判定部が前記判定を行い、前記条件が成立すると判定した場合に、前記報知部が前記報知を行う、
請求項３に記載の端末装置。
【請求項６】
前記報知部は、前記取得部により取得された情報に基づいて、前記放送コンテンツに関する情報があるか否かを判定し、前記放送コンテンツに関する情報があると判定された場合に、前記報知を行う、
請求項１または請求項２のいずれか１項に記載の端末装置。
【請求項７】
前記報知部は、所定の時間枠に開始時刻がある放送コンテンツに関する情報の報知を行う、
請求項１から請求項６のいずれか１項に記載の端末装置。
【請求項８】
前記放送コンテンツに関してユーザーによりジャンルを設定することが可能であり、
前記報知部は、いずれの前記ジャンルも設定されていない場合には、前記報知を行わない、
請求項１から請求項７のいずれか１項に記載の端末装置。
【請求項９】
前記放送コンテンツに関する情報は、前記放送コンテンツのランキングの上位の放送コンテンツに関する情報である、
請求項１から請求項８のいずれか１項に記載の端末装置。
【請求項１０】
前記報知タイミングの条件は、ユーザーにより行われた動作あるいは操作が所定の動作あるいは操作と一致したときに条件が満たされると判定する当該条件を含む、
請求項２から請求項５のいずれか１項に記載の端末装置。
【請求項１１】
情報提供装置と、端末装置と、を備え、
前記情報提供装置は、放送コンテンツに関する情報を送信し、
前記端末装置は、
前記情報提供装置から送信された情報を受信する通信部と、
前記通信部により受信された情報を蓄積する蓄積部と、
前記蓄積部に蓄積された情報から、放送コンテンツに関する情報を取得する取得部と、
自装置の位置が所定の位置であるか否かを判定する位置判定部と、
前記位置判定部により自装置の位置が前記所定の位置であると判定した場合に、報知の時点以降に放送の一部または全部が行われる放送コンテンツに関する情報の報知を行う報知部と、
を備える、
情報提供システム。
【請求項１２】
放送コンテンツに関する情報を取得するステップと、
自装置の位置が所定の位置であるか否かを判定するステップと、
自装置の位置が前記所定の位置であると判定した場合に、報知の時点以降に放送の一部または全部が行われる放送コンテンツに関する情報の報知を行うステップと、
をコンピューターに実行させるためのプログラム。
【発明の詳細な説明】
【技術分野】
【０００１】
本発明は、端末装置、情報提供システムおよびプログラムに関する。
【背景技術】
【０００２】
テレビジョン放送の番組に関し、ユーザー（視聴者）がよく視聴している常連番組の情報を通知する常連番組情報通知システムが知られている（特許文献１参照。）。
【先行技術文献】
【特許文献】
【０００３】
【特許文献１】特開２０１３−１４５９９５号公報
【発明の概要】
【発明が解決しようとする課題】
【０００４】
しかしながら、従来技術では、視聴者は、人気の番組を見逃す場合があった。この場合、視聴者は、その番組を放送後に知っても、もはや見られない場合があった。なお、視聴者にとって、人気の番組をザッピングして探すことは面倒であった。
【０００５】
本発明は上記の点に鑑みてなされたものであり、視聴者が人気の放送コンテンツを事前に知ることができる端末装置、情報提供システムおよびプログラムを提供する。
【課題を解決するための手段】
【０００６】
本発明は上記の課題を解決するためになされたものであり、一態様は、放送コンテンツに関する情報を取得する取得部と、自装置の位置が所定の位置であるか否かを判定する位置判定部と、前記位置判定部により自装置の位置が前記所定の位置であると判定した場合に、報知の時点以降に放送の一部または全部が行われる放送コンテンツに関する情報の報知を行う報知部と、を備える端末装置である。
【０００７】
また、一態様は、情報提供装置と、端末装置と、を備え、前記情報提供装置は、放送コンテンツに関する情報を送信し、前記端末装置は、前記情報提供装置から送信された情報を受信する通信部と、前記通信部により受信された情報を蓄積する蓄積部と、前記蓄積部に蓄積された情報から、放送コンテンツに関する情報を取得する取得部と、自装置の位置が所定の位置であるか否かを判定する位置判定部と、前記位置判定部により自装置の位置が前記所定の位置であると判定した場合に、報知の時点以降に放送の一部または全部が行われる放送コンテンツに関する情報の報知を行う報知部と、を備える、情報提供システムである。
【０００８】
また、一態様は、放送コンテンツに関する情報を取得するステップと、自装置の位置が所定の位置であるか否かを判定するステップと、自装置の位置が前記所定の位置であると判定した場合に、報知の時点以降に放送の一部または全部が行われる放送コンテンツに関する情報の報知を行うステップと、をコンピューターに実行させるためのプログラムである。
【発明の効果】
【０００９】
本発明によれば、視聴者は人気の放送コンテンツを事前に知ることができる。
【図面の簡単な説明】
【００１０】
【図１】本発明の一実施形態に係る情報提供システムの構成の一例を示すブロック図である。
【図２】本発明の一実施形態に係るランキング情報の一例を示す図である。
【図３】本発明の一実施形態に係る番組情報の一例を示す図である。
【図４】本発明の一実施形態に係る追加番組情報の一例を示す図である。
【図５】本発明の一実施形態（第１実施形態）に係る端末装置における番組の推奨情報の報知処理の手順の一例を示すフローチャートである。
【図６】本発明の一実施形態に係る報知対象を検索する時間枠の一例を示す図である。
【図７】（Ａ）および（Ｂ）は本発明の一実施形態に係る番組の推奨情報の出力の様子の一例を示す図である。
【図８】本発明の一実施形態に係るジャンルとは無関係なコメント（言葉）のテーブルの一例を示す図である。
【図９】本発明の一実施形態に係るジャンルと関係のあるコメント（言葉）のテーブルの一例を示す図である。
【図１０】本発明の一実施形態に係る音声出力する言葉を確定する処理の手順の一例を示す図である。
【図１１】（Ａ）〜（Ｄ）は本発明の一実施形態に係る端末装置のユーザーインタフェースの例を示す図である。
【図１２】本発明の一実施形態に係る情報提供システムの構成の変形例を示すブロック図である。
【図１３】本発明の一実施形態（第２実施形態）に係る端末装置における番組の推奨情報の報知処理の手順の一例を示すフローチャートである。
【発明を実施するための形態】
【００１１】
以下、図面を参照しながら本発明の実施形態について説明する。
［第１実施形態］
図１は、本発明の一実施形態に係る情報提供システム１の構成の一例を示すブロック図である。
情報提供システム１は、視聴ランキング管理装置１１と、コンテンツプロバイダ装置１２と、サーバ装置１３（情報提供装置の一例）と、端末装置１４と、ネットワーク１０１〜１０２を備える。
視聴ランキング管理装置１１と、コンテンツプロバイダ装置１２は、それぞれ、ネットワーク１０１を介して、サーバ装置１３と通信可能に接続される。サーバ装置１３と端末装置１４は、ネットワーク１０２を介して、通信可能に接続される。各ネットワーク１０１〜１０２は、例えば、有線のネットワークであってもよく、または、無線のネットワークであってもよい。
【００１２】
ここで、視聴ランキング管理装置１１と、コンテンツプロバイダ装置１２と、サーバ装置１３は、それぞれ、コンピューターを用いて構成されてもよい。端末装置１４は、例えば、スマートフォンを含む携帯電話の端末装置、タブレット端末装置を含むコンピューター、または、テレビジョン受像装置であってもよい。
また、本実施形態では、放送コンテンツとして、テレビジョン放送の番組（テレビ番組）を例とする。
【００１３】
視聴ランキング管理装置１１は、蓄積部２１と、通信部２２を備える。
蓄積部２１は、例えば、メモリあるいはデータベースであり、番組情報と、ランキング情報を蓄積（記憶）する。通信部２２は、ＡＰＩ（Application Programming Interface）の機能を有し、ネットワーク１０１を介してサーバ装置１３と通信する。
コンテンツプロバイダ装置１２は、蓄積部３１と、通信部３２を備える。蓄積部３１は、例えば、メモリあるいはデータベースであり、追加番組情報を蓄積（記憶）する。通信部３２は、ＡＰＩの機能を有し、ネットワーク１０１を介してサーバ装置１３と通信する。
なお、視聴ランキング管理装置１１とコンテンツプロバイダ装置１２とがネットワーク１０１を介して通信してもよい。
サーバ装置１３は、情報取得部４１と、蓄積部４２と、情報配信部４３を備える。
情報取得部４１は、視聴ランキング管理装置１１と通信し、番組情報とランキング情報を受信して取得する。また、情報取得部４１は、コンテンツプロバイダ装置１２と通信し、追加番組情報を受信して取得する。蓄積部４２は、例えば、メモリあるいはデータベースであり、番組情報（ここでは、追加番組情報を含んでもよい。）と、ランキング情報を蓄積（記憶）する。情報配信部４３は、蓄積部４２に蓄積された情報の一部または全部を、ネットワーク１０２を介して、端末装置１４に対して送信（配信）する。
【００１４】
端末装置１４は、通信部５１と、入力部５２と、蓄積部５３と、位置情報管理部５４と、時刻情報管理部５５と、出力部５６と、制御部５７を備える。
通信部５１は、ネットワーク１０２を介してサーバ装置１３と通信し、例えば、番組情報（ここでは、追加番組情報を含んでもよい。）と、ランキング情報を受信する。入力部５２は、ユーザーにより操作される操作部を有し、ユーザーにより行われた操作に対応する情報を入力する。蓄積部５３は、例えば、メモリあるいはデータベースであり、各種の情報を蓄積（記憶）する。蓄積部５３は、例えば、通信部５１により受信された番組情報とランキング情報を蓄積し、また、入力部５２により入力された設定情報（ユーザー設定情報）を蓄積する。位置情報管理部５４は、端末装置１４の位置の情報を取得して管理する。位置情報管理部５４は、例えば、ＧＰＳ（Global Positioning System）を用いて位置の情報を取得してもよく、または、他の手法により位置の情報を取得してもよい。時刻情報管理部５５は、時刻の情報を取得して管理する。時刻情報管理部５５は、例えば、時計の機能を有して、時刻の情報を取得してもよく、または、外部の装置から通信部５１により受信される情報に基づいて時刻の情報を取得してもよい。出力部５６は、各種の情報を出力する。出力部５６は、例えば、情報を音声で出力してもよく、情報を画面に表示出力してもよく、または、情報を振動により出力してもよい。また、所定のキャラクターを用いて出力が行われてもよい。
【００１５】
制御部５７は、取得部６１と、位置判定部６２と、報知タイミング判定部６３と、報知部６４を備える。報知部６４は、番組選択部７１を備える。
取得部６１は、放送コンテンツに関する情報を取得する。本実施形態では、取得部６１は、蓄積部５３に蓄積された番組情報とランキング情報を取得する。
位置判定部６２は、位置情報管理部５４により管理される自装置（端末装置１４）の位置が所定の位置であるか否かを判定する。なお、位置は、必ずしも一点の位置でなくてもよく、幅をもった位置（位置の範囲）であってもよい。
報知タイミング判定部６３は、所定の報知タイミングの条件が満たされるか否かを判定する。
報知部６４は、放送コンテンツの推奨情報を出力部５６により出力することで、当該推奨情報を報知する。番組選択部７１は、例えば、複数の番組の中から、推奨する番組を選択する。なお、番組選択部７１は、例えば、電子番組表（ＥＰＧ：Electronic Program Guide）を参照してもよい。
【００１６】
ここで、視聴ランキング管理装置１１からサーバ装置１３への番組情報およびランキング情報の送信、コンテンツプロバイダ装置１２からサーバ装置１３への追加番組情報の送信、およびサーバ装置１３から端末装置１４への番組情報およびランキング情報の送信（ダウンロード）は、本実施形態では、１日に１回行われる。これらの送信のタイミングは、例えば、一致していてもよく、または、一致していなくてもよい。他の構成例として、これらの送信は、例えば、他のタイミングで行われてもよく、１日に２回以上行われてもよい。
【００１７】
サーバ装置１３から端末装置１４へのランキング情報の送信（ダウンロード）の具体例を示す。
一例として、サーバ装置１３は、毎日決まった時刻（例えば、午後の１５時など）に、昨日のランキング情報を視聴ランキング管理装置１１から取得して、蓄積部４２に蓄積する。サーバ装置１３は、毎日決まった時刻（例えば、午前の５時など）に、蓄積部４２から先週のランキング情報（先週の同じ曜日のランキング情報）を取り出して、端末装置１４に送信（配信）する。端末装置１４は、サーバ装置１３から受け取ったランキング情報を蓄積部５３に蓄積する。
【００１８】
図２は、本発明の一実施形態に係るランキング情報のテーブル２０１の一例を示す図である。
本例では、ランキング情報は、地域と、日付と、ランクと、番組ＩＤと、が対応付けられた情報である。
地域は、複数の地域のうちのいずれかを示す情報である。本実施形態では、ランキングの集計対象地域は、北海道、宮城、福島、関東、新潟、静岡、中京、関西、岡山・香川、広島、福岡である。なお、関東キー局の番組が全国のローカル局でも放送されていることが多いため、集計対象外の地域の場合は、関東のランキング情報を使用する。
日付は、ランキングを集計した日を示す情報であり、本実施形態では、西暦、月、日を示す。
ランクは、各地域における視聴ランキングの順位を示す情報である。本実施形態では、ランキング情報は、各地域について、少なくとも１位〜２０位の情報を含む。本実施形態では、ランクが高い番組の方（１位に近い番組の方）が人気のある番組であるとする。本実施形態では、各地域について、１位〜２０位の番組の情報を推奨情報（おすすめ情報）とする。なお、１位〜２０位の番組は、例えば、昼の時間帯には１つもない場合もあり、１９時〜２２時（いわゆるゴールデンタイム）には多数存在する場合もある。
番組ＩＤは、番組を識別する情報であり、番組と１対１で対応している。
例えば、テーブル２０１の１行目は、北海道の３／２（２０１５年３月２日）のデイリーランキングの１位がＨ０１５９という番組ＩＤの番組であることを示している。
【００１９】
図３は、本発明の一実施形態に係る番組情報のテーブル２１１の一例を示す図である。
本例では、番組情報は、番組ＩＤと、放送局と、番組名と、放送開始時刻と、放送終了時刻と、番組ジャンルと、が対応付けられた情報である。
放送局は、番組が放送された（未来の場合には、放送される）放送局を示す情報である。
番組名は、番組の名称を示す情報である。
放送開始時刻は、番組の放送が開始された（未来の場合には、開始される）時刻を示す情報であり、本実施形態では、西暦、月、日、時、分、秒を示す。
放送終了時刻は、番組の放送が終了した（未来の場合には、終了される）時刻を示す情報であり、本実施形態では、西暦、月、日、時、分、秒を示す。
番組ジャンルは、番組に関する複数のジャンルのうちのいずれかを示す情報であり、例えば、ドラマ、バラエティーなどがある。
【００２０】
図４は、本発明の一実施形態に係る追加番組情報のテーブル２２１の一例を示す図である。
本例では、追加番組情報は、番組ＩＤと、番組名と、番組名カナと、出演者と、関連キーワードと、が対応付けられた情報である。
番組名カナは、番組の名称のカタカナ読みを示す情報である。この情報は、例えば、番組名を音声出力するときに使用されてもよい。
出演者は、番組の出演者を示す情報である。
関連キーワードは、番組に関連するキーワードを示す情報である。
【００２１】
ここで、視聴ランキングは、所定の種類のテレビジョン受像装置により実際に視聴者に視聴された番組の情報を集計して得られたランキングである。
また、本実施形態では、実際に視聴された番組の視聴ランキングが用いられるが、他の構成例として、視聴ランキングは、まだ放送されていない（このため、視聴もされていない）番組であって、所定の種類のテレビジョン録画装置により視聴者によって録画予約された番組の情報を集計して得られたランキングであってもよい。
また、他の視聴ランキングが用いられてもよい。
なお、視聴ランキング管理装置１１により視聴ランキングを取得して管理する構成については、任意の構成が用いられてもよく、例えば、既存の構成が利用されてもよい。
【００２２】
図５は、本発明の一実施形態（第１実施形態）に係る端末装置１４における番組の推奨情報の報知処理の手順の一例を示すフローチャートである。
本実施形態では、端末装置１４の制御部５７が本処理を行う。
（ステップＳ１）
位置判定部６２は、位置情報管理部５４により管理されている情報に基づいて、端末装置１４の位置を示す情報（位置情報）を取得する。
（ステップＳ２）
位置判定部６２は、取得された位置情報に基づいて、位置に関する所定の条件を満たすか否かを判定する。位置判定部６２は、当該所定の条件を満たすと判定した場合には、ステップＳ３の処理へ移行し、当該所定の条件を満たさないと判定した場合には、本処理を終了する。
【００２３】
ここで、本実施形態では、位置判定部６２は、位置に関する所定の条件を満たすか否かを常時監視するために、ステップＳ１の処理およびステップＳ２の処理を定期的な時間間隔で行う。当該定期的な時間間隔は、任意であってもよく、例えば、短い時間間隔であってもよい。
また、本実施形態では、位置に関する所定の条件として、端末装置１４（それを携帯するユーザーである視聴者）が所定の家に存在する場合に条件を満たすと判定する当該条件を用いる。当該所定の家は、例えば、自宅であってもよく、または、他の家であってもよい。
【００２４】
本実施形態では、端末装置１４において位置判定部６２が端末装置１４の位置に関する判定を行い、この判定のためにサーバ装置１３へ個人情報を送信することはない。
位置判定部６２は、ＧＰＳの機能がオン（ＯＮ）であるときには、記憶されている家の位置範囲（幅をもった位置の範囲）に、当該ＧＰＳにより得られた現在値情報から算出した住所情報（位置情報）がマッチ（整合）する場合に、所定の条件を満たす（所定の家にいる）と判定する。
位置判定部６２は、ＧＰＳの機能がオフ（ＯＦＦ）であるときには、使用されるＷｉ−ＦｉのＡＰ（Access Point）の識別情報が基準の識別情報とマッチ（整合）する場合に、所定の条件を満たす（所定の家にいる）と判定する。基準の識別情報は、あらかじめ記憶される。
【００２５】
なお、家の位置範囲を決定する方法としては、一例として、位置判定部６２が、ユーザーが指定した位置範囲を家の位置範囲として決定する方法がある。この方法では、ユーザーは、端末装置１４を操作して、出力部５６の画面にマップを表示させ、マップ上の任意の位置の範囲をタップすることで、位置範囲を指定することが可能である。
また、家の位置範囲を決定する方法としては、他の一例として、位置判定部６２が自動的に決定する方法がある。この方法では、ＧＰＳの機能がオンである場合には、夜の時間帯に同じ位置範囲に所定時間（例えば、５時間など）以上存在したときに、当該位置範囲を家の位置範囲として決定する。位置範囲の広さは、任意に設定されてもよい。夜の時間帯は、任意に定義されてもよい。一方、ＧＰＳの機能がオフである場合には、位置判定部６２は、出力部５６の画面または音声により、ユーザーに対して、家の位置範囲を指定するように促す。
また、端末装置１４では、家の位置に関する情報を判定するときに、ＧＰＳの位置情報から算出される住所情報（位置情報）、あるいは、Ｗｉ−ＦｉのＡＰの情報が蓄積部５３などの記憶部に記憶されてもよい。このように、所定の家にいるか否かの判定は、（ＧＰＳの情報に基づかず）ホームネットワークへの接続等の情報に基づいてもよい。
【００２６】
（ステップＳ３）
報知タイミング判定部６３は、所定の報知タイミングの条件が満たされるか否かを判定する。報知タイミング判定部６３は、所定の報知タイミングの条件が満たされると判定した場合には、ステップＳ４の処理へ移行し、当該所定の報知タイミングの条件を満たさないと判定した場合には、本処理を終了する。
本実施形態では、報知タイミング判定部６３は、所定の報知タイミングの条件が満たされると判定した場合に、それをトリガーの発生として、その時点から、報知のための処理（本実施形態では、ステップＳ４以降の処理）を開始させる。
【００２７】
ここで、所定の報知タイミングの条件としては、様々な条件が用いられてもよい。
一例として、ユーザーにより行われた動作あるいは操作が所定の動作あるいは操作と一致したときに条件が満たされると判定する当該条件が用いられてもよい。所定の動作あるいは操作としては、例えば、端末装置１４をテーブルなどに置く動作、端末装置１４を手で持って振る動作、所定のキーの操作、所定の項目を選択する操作、または、所定のアプリケーションを起動するための操作であってもよい。
具体例として、端末装置１４が、自装置（当該端末装置１４）が水平に置かれたことを判定したときに条件が満たされると判定する当該条件が用いられてもよい。端末装置１４は、例えば、自装置の傾きを検出するセンサ（傾きセンサ）を有しており、当該傾きセンサの検出結果に基づいて、自装置が水平であるか否かを判定することが可能である。また、端末装置１４は、ジャイロセンサを有しており、例えば、当該ジャイロセンサの検出結果に基づいて、自装置が動いていないか否かを判定することが可能であり、自装置が所定の時間以上動いていない場合に、自装置が置かれたと判定することが可能である。これらにより、端末装置１４は、自装置が水平に置かれたことを判定することが可能である。
また、他の具体例として、充電ケーブルの挿抜が参照されてもよい。すなわち、端末装置１４が、充電ケーブルが自装置に挿されたことを判定したときに条件が満たされると判定する当該条件が用いられてもよい。また、端末装置１４が、充電ケーブルが自装置から抜かれたことを判定したときに条件が満たされると判定する当該条件が用いられてもよい。また、端末装置１４が、自装置が落とされたという状況（あらかじめ定められた状況）と一致したと判定したときに条件が満たされると判定する当該条件が用いられてもよい。
【００２８】
他の一例として、一定の時間間隔ごとのタイミングになったときに条件が満たされると判定する当該条件が用いられてもよい。当該時間間隔は、例えば、あらかじめ設定されてもよい。
他の一例として、サーバ装置１３から所定の情報を取得したタイミング、または、そのタイミングから所定時間経過したタイミング、または、あらかじめ定められた時刻のタイミングになったときに条件が満たされると判定する当該条件が用いられてもよい。所定の情報は、例えば、番組情報であってもよく、ランキング情報であってもよく、または、これらの両方であってもよい。所定時間は、任意の時間であってもよい。具体例として、サーバ装置１３が視聴ランキング管理装置１１からランキング情報を受信するとすぐに当該ランキング情報を端末装置１４に送信（プッシュ（ＰＵＳＨ）型で送信）し、端末装置１４が当該ランキング情報を受信するとすぐに次の処理（ここでは、ステップＳ４の処理）へ移行する、構成が用いられてもよい。
他の一例として、端末装置１４が所定の位置（例えば、所定の家の位置範囲）に来てから所定の時間（例えば、５分など）が経過したときに条件が満たされると判定する当該条件が用いられてもよい。これにより、一例として、自宅に帰ってから５分後、などに条件が満たされる。
【００２９】
他の一例として、別の情報（本処理で報知する推奨情報以外の情報）が報知されるときに条件が満たされると判定する当該条件が用いられてもよい。これにより、別の情報が報知されるときに、一緒に、推奨情報が報知される。
他の一例として、設定された所定の家に存在するテレビジョン受像装置の画面（または、電源）がオンになっているかあるいはオフになっているかを判定して、オフになっているときに条件が満たされると判定する当該条件が用いられてもよい。これにより、テレビジョン受像装置が視聴されていないときに、番組の推奨情報が報知される。なお、当該テレビジョン受像装置は、所定の種類のテレビジョン受像装置であってもよい。
【００３０】
他の一例として、所定の情報の出力の頻度が所定の値以下であるときに条件が満たされる（逆に言えば、出力の頻度が所定の値を超えるときには条件が満たされない）と判定する当該条件が用いられてもよい。所定の情報は、例えば、番組の推奨情報であってもよく、または、番組の推奨情報を含むより多くの情報であってもよく、または、番組の推奨情報以外の情報であってもよい。これにより、例えば、所定の情報が一度出力された後に、所定時間（例えば、１時間など）の間隔をおいてから、推奨情報を出力するようなことが可能である。
【００３１】
（ステップＳ４）
番組選択部７１は、推奨情報の有無を判定する。
具体的には、まず、番組選択部７１は、時刻情報管理部５５により管理される情報に基づいて、現在の時刻の情報を取得する。そして、番組選択部７１は、現在の時刻に基づいて、報知対象を検索する時間枠の情報を決定する。
ここで、報知対象を検索する時間枠は、任意に設定されてもよく、例えば、現在の時刻に対して時間枠を設定する仕方があらかじめ定められていてもよい。また、例えば、当該時間枠の幅（時間の長さ）があらかじめ定められていてもよい。
一例として、報知対象を検索する時間枠は、現在の時刻に基づいて所定の開始時刻および所定の終了時刻が設定されたときにおける時間の枠（開始時刻から終了時刻までの時間の枠）であってもよい。
【００３２】
次に、番組選択部７１は、蓄積部５３に蓄積されたランキング情報（本実施形態では、先週の同じ曜日のランキング情報）に基づいて、決定された時間枠について、推奨される番組の開始時刻が当該時間枠に含まれる当該推奨される番組を抽出（選択）する。この際、番組選択部７１は、端末装置１４の設定情報に該当する地域（例えば、自宅が存在する地域）のランキング情報を参照する。また、番組選択部７１は、先週の同じ曜日および同じ時間帯における番組のランキング情報を参照する。この理由は、放送コンテンツの番組は、毎週放送されるものが多いためである。
そして、番組選択部７１は、推奨対象となる１つ以上の番組が抽出された場合（推奨情報がある場合）には、ステップＳ５の処理へ移行し、推奨される番組が１つも抽出されなかった場合（推奨情報がない場合）には、本処理を終了する。
【００３３】
ここで、本実施形態では、番組選択部７１は、報知の時点以降に放送の一部または全部が行われる番組を抽出する。つまり、番組選択部７１は、例えば、報知の時点より前に放送が開始されるが報知の時点より後にも放送が継続する番組、または、報知の時点より後に放送が開始される番組を抽出する。これにより、本実施形態では、報知の時点で既に放送が終了している番組に関する報知が行われないようにする。なお、報知の時点としては、一例として、現在の時刻（番組を抽出する時刻）が用いられてもよいが、番組を抽出する時刻と報知の時刻とはずれるため、他の例として、現在の時刻（番組を抽出する時刻）より所定の時間（例えば、５分など）だけ後の時刻が用いられてもよい。
他の構成例として、番組選択部７１は報知の時点を考慮せずに番組を抽出し、報知部６４が報知を行う際に、既に放送が終了している番組に関する報知を行わないようにしてもよい。
なお、本実施形態では、時間枠を用いて番組を抽出したが、他の方法で番組を抽出する構成が用いられてもよい。
【００３４】
（ステップＳ５）
報知部６４は、番組選択部７１により抽出された番組に関する推奨情報をユーザーに対して報知する。
ここで、報知部６４は、１つの番組が抽出された場合には、当該番組に関する推奨情報をユーザーに対して報知する。
また、報知部６４は、２つ以上の番組が抽出された場合には、番組選択部７１により、そのうちの１つの番組を選択して、当該番組に関する推奨情報をユーザーに対して報知する。当該１つの番組は、任意の手法により選択されてもよい。一例として、当該１つの番組は、ランダムに選択されてもよい。他の一例として、当該１つの番組は、ユーザーの嗜好（例えば、ジャンル）などに合わせたものであってもよい。
【００３５】
このように、本実施形態に係る端末装置１４は、例えば、ユーザーが所定の家（例えば、自宅）にいるときに、先週の同じ曜日に放送された番組の中で、現在の時刻に対して近い時刻に放送が開始される（または、開始されたばかりの）人気の番組を推奨する。
他の例として、過去のランキング情報の代わりに、未来の録画予約のランキング情報を使用する場合には、端末装置１４は、例えば、ユーザーが所定の家（例えば、自宅）にいるときに、現在の時刻に対して近い時刻に放送が開始される（または、開始されたばかりの）人気の番組を推奨する。
【００３６】
図６は、本発明の一実施形態に係る報知対象を検索する時間枠の一例を示す図である。
横軸は、ある日の時刻を表している。２０時１０分から２０時５０分までバラエティーＡ１という番組が放送され、他の番組（図示を省略）の後に、２１時から２１時５０分までバラエティーＡ２という番組が放送され、他の番組（図示を省略）の後に、２２時から２２時５５分までドラマＢ１という番組が放送される。これら３つの番組は人気の番組であるとする。現在の時刻は２０時１５分であるとする。
【００３７】
一例として、現在の時刻に対して１０分前から１時間の長さの時間枠１００１を設定してもよい。この場合、２０時５分から２１時５分までの時間枠１００１が設定される。すると、２０時１０分に放送が開始されるバラエティーＡ１と、２１時に放送が開始されるバラエティーＡ２が、推奨する対象の候補として抽出される。そして、本実施形態では、これら２つの番組のうちの１つがユーザーに推奨される。
ここで、現在の時刻に対して１０分前を時間枠の開始時点として設定した理由は、一般に、番組の開始時間から１０分が過ぎても番組の途中からでも視聴したいという人が多いが、番組の開始時刻から１０分を超えると途中からは見ない人が多いと予想されるためである。ただし、現在の時刻に対して１０分前以外の任意の時刻が時間枠の開始時点として設定されてもよい。また、時間枠の長さは、１時間に限られず、３０分、４０分、５０分、１時間３０分など、任意の時間が設定されてもよい。
【００３８】
他の一例として、現在の時刻に対して３０分後から１時間の長さの時間枠１０１１を設定してもよい。この場合、２０時４５分から２１時４５分までの時間枠１０１１が設定される。すると、２１時に放送が開始されるバラエティーＡ２が、推奨する対象の候補として抽出される。そして、本実施形態では、この１つの番組がユーザーに推奨される。
なお、時間枠の開始時刻あるいは時間枠の長さ（または、終了時刻）は、一例であり、他の任意の値が設定されてもよい。
【００３９】
なお、本実施形態では、報知対象を検索する時間枠を番組表とは独立に設定したが、他の構成例として、番組表における現在時刻付近の番組の時間枠を参照して、報知対象を検索する時間枠を設定してもよい。例えば、所定の放送チャンネル（放送局）の番組表を参照して、その番組表において現在放送中の番組が終了する時点を、報知対象を検索する時間枠の開始時点などとして、当該時間枠を設定してもよい。
【００４０】
図７（Ａ）および図７（Ｂ）は、本発明の一実施形態に係る番組の推奨情報の出力の様子の一例を示す図である。
図７（Ａ）には、端末装置１４の画面３０１に表示された情報の一例、および音声で出力された情報３１１（イメージとして、文字で示してある）の一例を示してある。本例では、画面３０１に、地域を示す「関東」、日付を特定する「先週（月）」、ランキングの順位を示す「１０位」、番組名を示す「番組Ｅ１０」という情報が表示されている。また、本例では、「２０時１５分です。先週２１時頃のテレビ番組は「番組Ｅ１０」が人気だったみたいですよ。」という音声の情報３１１が出力される。この音声の情報３１１が番組の推奨情報となる。
【００４１】
図７（Ｂ）には、端末装置１４の画面３０１に表示された情報の一例を示してある。本例では、画面３０１に、視聴ランキングとして、３／２のデイリーランキングであって関東のランキングについて、１位から２０位までの番組名の情報が表示されている。
【００４２】
ここで、音声の出力として、所定のキャラクターのおしゃべりの形式で音声を出力する機能が使用されてもよい。複数のキャラクターが用いられて、キャラクターごとに話し方が異なってもよい。また、このようなキャラクターのおしゃべりを提供するアプリケーションが用いられてもよい。
また、音声の出力は、例えば、プッシュ通知であってもよい。
音声の情報の内容は、任意であってもよく、例えば、時刻に関する情報、次の時間枠に関する情報、番組名に関する情報などを含んでもよい。
【００４３】
一例として、ステップＳ３の処理において、報知タイミング判定部６３は、所定のアプリケーション（例えば、キャラクターのおしゃべりを提供するアプリケーション）で管理している情報の出力頻度の確認を行い、その結果、出力頻度が所定値以下で、出力してよいと判定した場合にステップＳ４の処理へ移行し、他の場合には本処理を終了する、動作を行ってもよい。
一例として、報知部６４は、所定のアプリケーション（例えば、キャラクターのおしゃべりを提供するアプリケーション）が推奨情報以外の情報（別の情報）を報知するときに、一緒に推奨情報を報知してもよい。
【００４４】
ここで、報知部６４は、図７（Ａ）に示される推奨情報である音声の情報３１１の出力の後または前に、他のコメント（言葉）の音声の情報を出力してもよい。このコメントの内容は、例えば、複数の候補の中からランダムに選択されてもよく、または、ランダム以外の所定の条件に基づいて選択されてもよい。また、このコメントの内容は、例えば、番組のジャンルに無関係であってもよく、または、番組のジャンルに関係があってもよい。
【００４５】
図８は、本発明の一実施形態に係るジャンルとは無関係なコメント（言葉）のテーブル４０１の一例を示す図である。このテーブル４０１には、コメントのＩＤと、コメント（言葉）とが対応付けられて格納される。なお、「何もしゃべらない」という情報が用いられてもよい。このテーブル４０１の情報は、例えば、蓄積部５３に蓄積される。
図９は、本発明の一実施形態に係るジャンルと関係のあるコメント（言葉）のテーブル４１１の一例を示す図である。このテーブル４１１には、番組のジャンルと、コメントのＩＤと、コメント（言葉）とが対応付けられて格納される。例えば、ジャンルごとに、そのジャンルに関連するコメントの内容が用いられてもよい。このテーブル４１１の情報は、例えば、蓄積部５３に蓄積される。
【００４６】
なお、本実施形態では、ジャンルと関係のあるコメント（言葉）を示したが、ジャンル以外の情報とコメント（言葉）とが対応付けられて格納され使用されてもよい。例えば、ジャンルの代わりに、番組名、出演者、番組の開始時刻、番組の終了時間、放送局などの１以上のそれぞれごとに、ジャンルの場合と同様なテーブルを記憶して、それぞれごとにコメント（言葉）を選択して音声出力してもよい。
また、このようなテーブルの内容は、例えば、サーバ装置１３などによってネットワーク（例えば、ネットワーク１０２）を経由して変更することが可能な構成としてもよい。
【００４７】
図１０は、本発明の一実施形態に係る音声出力する言葉を確定する処理の手順の一例を示す図である。
本実施形態では、端末装置１４において、報知部６４が本処理を行う。
【００４８】
（ステップＳ１０１）
報知部６４は、視聴ランキングの情報（ランキング情報）から、推奨情報として音声出力する内容（しゃべる内容）である言葉（言葉１と呼ぶ。）を確定する。
（ステップＳ１０２）
報知部６４は、内容のジャンルを取得するための処理を行う。
（ステップＳ１０３）
報知部６４は、ジャンルが取得できたか否かを判定し、取得できた場合にはステップＳ１０４の処理へ移行し、取得できなかった場合にはステップＳ１０８の処理へ移行する。
（ステップＳ１０４）
報知部６４は、乱数を発生させる。
（ステップＳ１０５）
報知部６４は、発生させられた乱数の値が所定値（例えば、一定値）以上であるか否かを判定し、所定値以上である場合にはステップＳ１０６の処理へ移行し、所定値未満である場合にはステップＳ１０８の処理へ移行する。
（ステップＳ１０６）
報知部６４は、図９に示されるジャンル関係のテーブル４１１を参照して、内容のジャンルと一致する言葉（言葉２と呼ぶ。）を取得する。なお、複数の言葉の候補がある場合には、報知部６４は、ランダムで１つの言葉を選択する。そして、ステップＳ１０７の処理へ移行する。
（ステップＳ１０７）
報知部６４は、言葉１および言葉２をしゃべる内容として確定して、その内容をそれを処理する機能（報知部６４自体、または、出力部５６など）に返す。そして、本処理を終了する。
（ステップＳ１０８）
報知部６４は、図８に示されるジャンル無関係のテーブル４０１を参照して、ランダムで１つのＩＤを選択し、選択したＩＤと一致する言葉（言葉２とする。）を取得する。そして、ステップＳ１０７の処理へ移行する。
【００４９】
図１１（Ａ）、図１１（Ｂ）、図１１（Ｃ）、図１１（Ｄ）は本発明の一実施形態に係る端末装置１４のユーザーインタフェースの例を示す図である。
図１１（Ａ）〜（Ｄ）には、端末装置１４の設定時における画面３０１の表示例を示してある。ユーザーは設定に関する操作を行う。ユーザーは、まず、図１１（Ａ）の画面３０１（話題の選択画面）で、複数の項目の中で「テレビ」を選択する。ユーザーは、次に、例えば、図１１（Ｂ）の画面３０１（テレビ関連の詳細設定画面）で、複数の項目の中で「視聴ランキング」を選択する。この場合、ユーザーは、図１１（Ｃ）の画面３０１で、地域を設定することができる。また、ユーザーは、例えば、図１１（Ｂ）の画面３０１で、「番組のジャンル」を選択する。この場合、ユーザーは、図１１（Ｄ）の画面３０１で、自己の嗜好に合う番組のジャンルを設定することができる。
【００５０】
ここで、地域のデフォルト値は、例えば、ユーザーの自宅が属する地域であってもよい。ユーザーは任意の地域を設定することが可能である。他の構成例として、地域は、例えば、ＧＰＳの情報に基づいて設定されてもよい。
また、番組のジャンルのデフォルト値は、例えば、すべてのジャンルが選択されて設定された状態である。ユーザーは任意のジャンルを選択して（または、選択しないで）設定することが可能である。
【００５１】
また、例えば、端末装置１４の画面３０１に表示された所定の情報をユーザーが選択した場合に、端末装置１４のブラウザで視聴ランキングのページを表示する構成が用いられてもよい。この場合、ユーザーは、推奨対象の番組以外の番組に関するすべてのランキング（例えば、他の地域あるいは他のジャンルのランキング）などのように、より詳細な情報を見ることができる。
【００５２】
本実施形態では、ユーザーごとに設定された地域およびジャンルに関する番組が推奨される。ここで、地域とジャンルの一方または両方の検索キーは、一例として、端末装置１４からサーバ装置１３に毎回送信されて、サーバ装置１３により検索に使用されてもよい。他の例として、サーバ装置１３が所定のＩＤと検索キーとの対応を記憶して、端末装置１４からサーバ装置１３に当該所定のＩＤを毎回送信して、サーバ装置１３が当該所定のＩＤに対応する検索キーを検索に使用してもよい。当該所定のＩＤは、例えば、ユーザーのＩＤ、端末装置１４のＩＤ、所定のアプリケーションのＩＤ、ダウンロードのためのＩＤなどの１以上であってもよい。
また、本実施形態では、ユーザーにより全てのジャンルが解除された場合、つまりユーザーによりいずれのジャンルも設定されていない場合には、制御部５７は、番組の推奨のための報知を行わないように制御する。
【００５３】
以上のように、本実施形態に係るサーバ装置１３および端末装置１４を含む情報提供システム１では、視聴者（ユーザー）は人気の放送コンテンツ（本実施形態では、テレビジョン放送の番組）を事前に知ることができる。例えば、視聴者は、これから開始する人気の番組を事前に知ることができ、見逃しを防止することが可能である。また、視聴者は、ジャンルを設定することで、自己が興味のある番組に絞って推奨の通知を受けられる。また、視聴者は、地域を設定することで、自己が視聴可能な番組に絞って推奨の通知を受けられる。また、例えば、視聴者が家にいるときだけ推奨することで、テレビジョン放送を視聴できない状況での不要な通知を抑制することができる。
【００５４】
次に、図１に示される情報提供システム１の変形例を示す。変形例として、図１に示される情報提供システム１において、端末装置１４に備えられた時刻情報管理部５５、位置判定部６２、報知タイミング判定部６３および番組選択部７１のうちの１以上の機能は、サーバ装置１３に備えられてもよい。この場合、その機能を実現するために必要な情報が、サーバ装置１３と端末装置１４との間で通信されてもよい。
【００５５】
図１２は、本発明の一実施形態に係る情報提供システム１Ａの構成の変形例を示すブロック図である。
情報提供システム１Ａは、視聴ランキング管理装置１１と、コンテンツプロバイダ装置１２と、サーバ装置１３Ａ（情報提供装置の一例）と、端末装置１４Ａと、ネットワーク１０１〜１０２を備える。
ここで、変形例に係る情報提供システム１Ａでは、図１に示される情報提供システム１と同じ装置および同じ処理部には同じ符号を付してある。
【００５６】
変形例に係る情報提供システム１Ａについて、図１に示される情報提供システム１とは異なる部分について説明する。
サーバ装置１３Ａは、情報取得部４１と、蓄積部４２と、情報配信部４３と、端末制御部４４を備える。端末制御部４４は、時刻情報管理部５５Ａと、位置判定部６２Ａと、報知タイミング判定部６３Ａと、番組選択部７１Ａを備える。
端末装置１４Ａは、通信部５１と、入力部５２と、蓄積部５３と、位置情報管理部５４と、出力部５６と、制御部５７Ａを備える。制御部５７Ａは、取得部６１と、報知部６４Ａを備える。
【００５７】
時刻情報管理部５５Ａは、時刻の情報を取得して管理する。
位置判定部６２Ａは、端末装置１４Ａの位置を示す情報（位置情報）を取得し、取得された位置情報に基づいて、位置に関する所定の条件を満たすか否かを判定する。この場合、例えば、端末装置１４Ａの位置情報管理部５４により管理される情報（端末装置１４の位置情報）が、通信部５１によって、ネットワーク１０２を介して、サーバ装置１３Ａの位置判定部６２Ａに送信されて通知されてもよい。
報知タイミング判定部６３Ａは、所定の報知タイミングの条件が満たされるか否かを判定する。ここで、所定の報知タイミングの条件が、端末装置１４Ａにおけるユーザーの操作あるいは端末装置１４Ａの動作などの情報を含む場合には、その情報が端末装置１４Ａの通信部５１によって、ネットワーク１０２を介して、サーバ装置１３Ａの報知タイミング判定部６３Ａに送信されて通知されてもよい。
番組選択部７１Ａは、複数の番組の中から、推奨する番組を選択する。例えば、端末装置１４Ａの設定情報が、端末装置１４Ａの通信部５１によって、ネットワーク１０２を介して、サーバ装置１３Ａの番組選択部７１Ａに送信されて通知されてもよい。また、番組選択部７１Ａは、サーバ装置１３Ａの蓄積部４２に蓄積された情報を参照してもよい。また、番組選択部７１Ａは、推奨する番組の選択結果の情報を、情報配信部４３によって、ネットワーク１０２を介して、端末装置１４Ａの通信部５１に送信し、これにより、当該情報を報知部６４Ａに通知してもよい。
【００５８】
なお、図１２の変形例では、図１に示される情報提供システム１において端末装置１４に備えられた時刻情報管理部５５、位置判定部６２、報知タイミング判定部６３および番組選択部７１のすべての機能がサーバ装置１３の側に備えられる構成を示したが、他の構成例として、これらのうちの一部（任意の１つ、２つ、または、３つ）の機能が、端末装置１４の側でなく、サーバ装置１３の側に備えられる構成が用いられてもよい。
【００５９】
［第２実施形態］
本実施形態では、第１実施形態とは相違する部分を詳しく説明し、同様な部分の説明を簡略化または省略する。また、本実施形態では、第１実施形態と同じ符号（図面中の符号）を使用して説明する。
図１３は、本発明の一実施形態に係る端末装置１４における番組の推奨情報の報知処理の手順の一例を示すフローチャートである。
本実施形態では、端末装置１４の制御部５７が本処理を行う。
【００６０】
（ステップＳ１１）
位置判定部６２は、位置情報管理部５４により管理されている情報に基づいて、端末装置１４の位置を示す情報（位置情報）を取得する。
なお、ステップＳ１１の処理は、図５に示されるステップＳ１の処理と同じである。
（ステップＳ１２）
位置判定部６２は、取得された位置情報に基づいて、位置に関する所定の条件を満たすか否かを判定する。位置判定部６２は、当該所定の条件を満たすと判定した場合には、ステップＳ１３の処理へ移行し、当該所定の条件を満たさないと判定した場合には、本処理を終了する。
なお、ステップＳ１２の処理の詳細は、図５に示されるステップＳ２の処理の詳細と同じである。
【００６１】
（ステップＳ１３）
番組選択部７１は、推奨情報の有無を判定する。
そして、番組選択部７１は、推奨対象となる１つ以上の番組が抽出された場合（推奨情報がある場合）には、ステップＳ１４の処理へ移行し、推奨される番組が１つも抽出されなかった場合（推奨情報がない場合）には、本処理を終了する。
なお、ステップＳ１３の処理の詳細は、図５に示されるステップＳ４の処理の詳細と同じである。ただし、本実施形態では、ステップＳ１２の条件が満たされた場合にステップＳ１３の処理へ移行しており、この点は、第１実施形態の図５の例とは相違する。
【００６２】
（ステップＳ１４）
報知タイミング判定部６３は、所定の報知タイミングの条件が満たされるか否かを判定する。報知タイミング判定部６３は、所定の報知タイミングの条件が満たされると判定した場合には、ステップＳ１５の処理へ移行し、当該所定の報知タイミングの条件を満たさないと判定した場合には、本処理を終了する。
本実施形態では、報知タイミング判定部６３は、所定の報知タイミングの条件が満たされると判定した場合に、それをトリガーの発生として、その時点から、報知のための処理（本実施形態では、ステップＳ１５の処理）を開始させる。
【００６３】
ここで、所定の報知タイミングの条件としては、様々な条件が用いられてもよく、例えば、図５に示されるステップＳ３において用いられることが可能な１以上の任意の条件を用いてもよい。
また、他の一例として、推奨対象となる番組の開始時刻に対して所定の時間だけ前の時刻になったときに条件が満たされると判定する当該条件が用いられてもよい。これにより、例えば、推奨される番組の開始の１０分前などに、そのことをユーザーに通知する。
【００６４】
（ステップＳ１５）
報知部６４は、番組選択部７１により抽出された番組に関する推奨情報をユーザーに対して報知する。
なお、ステップＳ１５の処理の詳細は、図５に示されるステップＳ５の処理の詳細と同じである。ただし、本実施形態では、番組選択部７１は報知の時点を考慮せずに番組を抽出しており、報知部６４が報知を行う際に、既に放送が終了している番組に関する報知を行わないようにしている。
【００６５】
以上のように、本実施形態に係るサーバ装置１３および端末装置１４を含む情報提供システム１では、視聴者（ユーザー）は人気の放送コンテンツ（本実施形態では、テレビジョン放送の番組）を事前に知ることができる。
【００６６】
ここで、図５のステップＳ３の処理または図１３のステップＳ１４の処理（報知タイミングの条件の確認処理）と、図５のステップＳ４の処理または図１３のステップＳ１３の処理（報知情報の有無の確認処理）は、任意の順序で行われてもよい。また、これら２つの判定の処理は、例えば、いずれか一方の判定の条件が成立した場合に他方の判定を行ってもよく、または、これら両方の判定を行ってこれら両方の判定の結果に基づいて以降の処理へ移行してもよい。
【００６７】
なお、図５のフローではステップＳ４の処理（報知情報の有無の確認処理）の前に、ステップＳ３の処理で所定の条件（ここで、第１の条件と呼ぶ。）が満たされるか否かを判定し、また、図１３のフローではステップＳ１５の処理（報知処理）の前に、ステップＳ１４の処理で所定の条件（ここで、第２の条件と呼ぶ。）が満たされるか否かを判定した。他の例として、図５のフローに示される第１の条件の判定による処理の分岐と、図１３のフローに示される第２の条件の判定による処理の分岐との両方を採用した処理フローを実行する構成が用いられてもよい。つまり、第１の条件が満たされた場合に報知情報の有無の確認処理を行い、第２の条件が満たされた場合に報知処理を行う処理フローが用いられてもよい。この場合、第１の条件と第２の条件としては、例えば、互いに異なる条件が用いられてもよい。
【００６８】
なお、上述した実施形態における各装置（例えば、サーバ装置１３、端末装置１４など）の一部、例えば、制御を行う機能部をコンピューターで実現するようにしてもよい。この場合、この制御の機能を実現するためのプログラムをコンピューター読み取り可能な記録媒体（記憶媒体）に記録（記憶）して、この記録媒体に記録されたプログラムをコンピューターシステムに読み込ませ、実行することによって実現してもよい。なお、ここでいう「コンピューターシステム」とは、装置に内蔵されたコンピューターシステムであって、オペレーティングシステム（ＯＳ：Operating System）および周辺機器等のハードウェアを含むものとする。また、「コンピューター読み取り可能な記録媒体」とは、フレキシブルディスク、光磁気ディスク、ＲＯＭ（Read Only Memory）、ＣＤ（Compact Disc）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムを送信する場合の通信線のように、短時間、動的にプログラムを保持するもの、その場合のサーバやクライアントとなるコンピューターシステム内部の揮発性メモリのように、一定時間プログラムを保持しているものを含んでもよい。また、上記のプログラムは、前述した機能の一部を実現するためのものであってもよく、さらに前述した機能をコンピューターシステムに既に記録されているプログラムとの組み合わせで実現できるものであってもよい。
【００６９】
また、上述した実施形態における各装置（例えば、サーバ装置１３、端末装置１４など）の一部、または全部を、ＬＳＩ（Large Scale Integration）等の集積回路として実現してもよい。各機能ブロックは個別にプロセッサ化してもよいし、一部、または全部を集積してプロセッサ化してもよい。また、集積回路化の手法は、ＬＳＩに限らず、専用回路、または汎用プロセッサで実現してもよい。また、半導体技術の進歩によりＬＳＩに代替する集積回路化の技術が出現した場合、当該技術による集積回路を用いてもよい。
【００７０】
以上、図面を参照してこの発明の実施形態について詳しく説明してきたが、具体的な構成は上述のものに限られることはなく、この発明の要旨を逸脱しない範囲内において様々な設計変更等をすることが可能である。
【００７１】
（付記）
一態様は、端末装置において、報知タイミングの条件が成立するか否かを判定する報知タイミング判定部を備え、前記報知部は、前記報知タイミング判定部により前記条件が成立すると判定した場合に、前記報知を行う。
一態様は、端末装置において、前記報知部は、前記取得部により取得された情報に基づいて、前記放送コンテンツに関する情報があるか否かを判定し、前記報知部は、前記放送コンテンツに関する情報があると判定され、かつ、前記報知タイミング判定部により前記条件が成立すると判定した場合に、前記報知を行う。
一態様は、端末装置において、前記報知タイミング判定部が前記判定を行い、前記条件が成立すると判定した場合に、前記報知部が前記判定を行い、前記放送コンテンツに関する情報があると判定された場合に、前記報知を行う。
一態様は、端末装置において、前記報知部が前記判定を行い、前記放送コンテンツに関する情報があると判定された場合に、前記報知タイミング判定部が前記判定を行い、前記条件が成立すると判定した場合に、前記報知部が前記報知を行う。
一態様は、端末装置において、前記報知部は、前記取得部により取得された情報に基づいて、前記放送コンテンツに関する情報があるか否かを判定し、前記放送コンテンツに関する情報があると判定された場合に、前記報知を行う。
一態様は、端末装置において、前記報知部は、所定の時間枠に開始時刻がある放送コンテンツに関する情報の報知を行う。
一態様は、端末装置において、前記放送コンテンツに関してユーザーによりジャンルを設定することが可能であり、前記報知部は、いずれの前記ジャンルも設定されていない場合には、前記報知を行わない。
一態様は、端末装置において、前記放送コンテンツに関する情報は、前記放送コンテンツのランキングの上位の放送コンテンツに関する情報である。
一態様は、端末装置において、前記報知タイミングの条件は、ユーザーにより行われた動作あるいは操作が所定の動作あるいは操作と一致したときに条件が満たされると判定する当該条件を含む。
一態様は、端末装置において、取得部は、１日に１回、放送コンテンツに関する情報を取得する。
一態様は、端末装置において、放送コンテンツに関する情報は、地域ごとの情報である。
一態様は、端末装置において、放送コンテンツに関する情報は、ジャンルごとの情報である。
【符号の説明】
【００７２】
１、１Ａ…情報提供システム、１１…視聴ランキング管理装置、１２…コンテンツプロバイダ装置、１３、１３Ａ…サーバ装置、１４、１４Ａ…端末装置、２１、３１、４２、５３…蓄積部、２２、３２、５１…通信部、４１…情報取得部、４３…情報配信部、４４…端末制御部、５２…入力部、５４…位置情報管理部、５５、５５Ａ…時刻情報管理部、５６…出力部、５７、５７Ａ…制御部、６１…取得部、６２、６２Ａ…位置判定部、６３、６３Ａ…報知タイミング判定部、６４、６４Ａ…報知部、７１、７１Ａ…番組選択部、１０１〜１０２…ネットワーク、２０１、２１１、２２１、４０１、４１１…テーブル、３０１…画面、３１１…情報
【図１】
2016208399.tif 000003
【図２】
2016208399.tif 000004
【図３】
2016208399.tif 000005
【図４】
2016208399.tif 000006
【図５】
2016208399.tif 000007
【図６】
2016208399.tif 000008
【図７】
2016208399.tif 000009
【図８】
2016208399.tif 000010
【図９】
2016208399.tif 000011
【図１０】
2016208399.tif 000012
【図１１】
2016208399.tif 000013
【図１２】
2016208399.tif 000014
【図１３】
2016208399.tif 000015